(57)【特許請求の範囲】
【請求項１】
上方側に立パイプを一体に具えるアッパーリンクとロアリンクをヘッドパイプに対して軸着する前半フレームと、その前半フレームのアッパーリンクとロアリンクとの接続軸受部を前端部に、前後に離隔して具える後半フレームとからなる折畳み自転車フレームにおいて、前記ヘッドパイプは、その背面上下に前記前半フレームのアッパーリンクの前端の前側軸支部を軸支する上側軸支部とロアリンクの前端の前側軸支部を軸支する下側軸支部を離隔して具え、前記前半フレームのアッパーリンクは、その中間より後端寄りに下方に突出する中間軸支部を具え、前記前半フレームのロアリンクは、後端を上向きＬ形に形成して後側軸受部を具え、前記後半フレームは、その前端部の前後に、前記アッパーリンクの中間軸支部と前記ロアリンクの後側軸支部とに接続する接続軸受部を具え、後半フレームの前端下側に、ハンガーを後端に具える下パイプを接続し、下パイプの後端に、セッターを具えるチエンステーを接続し、後半フレームの前端上側に、前部をコ字型枠型材として、前記ロアリンクの軸支部と接続する接続軸受筒を具え、このコ字型枠型材の後端にバックフォークを接続し、その後端を前記セッターに接続してなる折畳み自転車フレーム。
【請求項２】
前記前半フレームのロアリンクは、鋼板をプレス成型し、前端の前側軸支部は二股平板ブラケットが離隔して対面し、ヘッドパイプの下側軸支部の軸受筒の端面を内側に嵌入し、前記二股平板ブラケットの軸受孔と、前記下側軸支部の軸受筒の軸受孔とに両頭管状鋲を貫通して回動自在に軸支し、ロアリンクの後側軸支部は同じく二股平板ブラケットが上向きＬ形に屈曲して広幅に対面し、この二股平板ブラケットに軸受孔およびこの軸受孔と同心の弧状孔を所要半径で、かつ所要角開口し、前記ロアリンクの後端の後側軸支部と後半フレームの前端部の後方側の前記ロアリンクの接続軸受部とに両頭管状鋲を貫通して回動自在に接続してなる請求項１の折畳み自転車フレーム。
【請求項３】
前記前半フレームと前記後半フレームとが、アッパーリンクとの接続軸受部とロアリンクとの接続軸受部とを中心に回動して展開するときにストッパーとなる受皿をロアリンクとの接続軸受部の軸受筒の上半外面またはその近傍に固着し、アッパーリンクの対応面をその受皿の凹陥面内に嵌入係合し、展開応力を支承できるように設けてなる請求項１〜２のいずれか１項に記載の折畳み自転車フレーム。
【請求項４】
前記前半フレームのロアリンクの後端の後側軸支部に開口した弧状孔と、後半フレームのロアリンクとの接続軸受部の軸受筒が溶着する枠型材の前端部分に開口する軸受孔に、定位置鍔と可動鍔を両端に具えた締付軸を貫通配備し、定位置鍔と可動鍔により締付力により前半フレームと後半フレームはその接続角度に保持するように設けてなる請求項１〜３のいずれか１項に記載の折畳み自転車フレーム。
【発明の詳細な説明】
【０００１】
【発明が属する技術分野】
この発明は、上方側に立パイプを一体に具えるアッパーリンクとロアリンクをヘッドパイプに対して軸着する前半部と、その前半部のアッパーリンクとロアリンクとの接続軸受部を前端に離隔して具える後半部とからなる折畳み自転車フレームに関する。
【０００２】
【従来の技術】
従来、折畳み自転車フレームは、非常に多くの提案がされている。本出願人においても、特公昭６２−４８６３９号公報に掲載されるような折畳み自転車フレームを提案している。この折畳み自転車フレームは、後部をチエンステーと一体成形された下パイプの前端を、ヘッドパイプに取付けたブラケットに軸着し、下パイプの所定位置にパイプ状の立パイプ支持枠の下端を固着し、この立パイプ支持枠の上端背部にバックフォークの前端を固着し、このバックフォークの後端をチエンステーの後端に固着し、立パイプ支持枠内方に立パイプの下半を差し込み、下端を立パイプ支持枠に軸着して、立パイプ支持枠の前面側に設けた縦方向の切欠長孔を通して前方に起伏し得るようにし、立パイプ上に取付けたブラケットに後端を軸着した上パイプの前端をヘッドパイプに取付けたブラケットに軸着し、前記立てパイプ上のブラケットの背部に、立パイプの付伏抑止爪装置を設けたことを特徴とする二輪車用折畳みフレームにある。
【０００３】
【発明が解決しようとする課題】
前記特公昭６２−４８６３９号公報の折畳み自転車フレームは、上記のように、そのヘッドパイプと接続する下パイプとチエンステーとは一体になっているから、その部分を二つ折りに折畳むことができなく、また前輪と後輪とが前後に離隔し、接近させることができない。またハンドルが前方に突出するので、これを基端から折曲して格納しなければならない欠点があった。
【０００４】
この発明は、かかる従来の欠点を除去し、ワンタッチでフレームの展開と折畳みが行えると共に、折畳み時にスタンドを利用して自立して縦置きが行える折畳み自転車の提供を目的とするものである。
【０００５】
【課題を解決するための手段】
上方側に立パイプを一体に具えるアッパーリンクとロアリンクをヘッドパイプに対して軸着する前半フレームと、その前半フレームのアッパーリンクとロアリンクとの接続軸受部を前端部に、前後に離隔して具える後半フレームとからなる折畳み自転車フレームにおいて、前記ヘッドパイプは、その背面上下に前記前半フレームのアッパーリンクの前端の前側軸支部を軸支する上側軸支部とロアリンクの前端の前側軸支部を軸支する下側軸支部を離隔して具え、前記前半フレームのアッパーリンクは、その中間より後端寄りに下方に突出する中間軸支部を具え、前記前半フレームのロアリンクは、後端を上向きＬ形に形成して後側軸受部を具え、前記後半フレームは、その前端部の前後に、前記アッパーリンクの中間軸支部と前記ロアリンクの後側軸支部とに接続する接続軸受部を具え、後半フレームの前端下側に、ハンガーを後端に具える下パイプを接続し、下パイプの後端に、セッターを具えるチエンステーを接続し、後半フレームの前端上側に、前部をコ字型枠型材として、前記ロアリンクの軸支部と接続する接続軸受筒を具え、このコ字型枠型材の後端にバックフォークを接続し、その後端を前記セッターに接続してなる折畳み自転車フレームにある。
【０００６】
前記前半フレームのロアリンクは、鋼板をプレス成型し、前端の前側軸支部は二股平板ブラケットが離隔して対面し、ヘッドパイプの下側軸支部の軸受筒の端面を内側に嵌入し、前記二股平板ブラケットの軸受孔と、前記下側軸支部の軸受筒の軸受孔とに両頭管状鋲を貫通して回動自在に軸支し、ロアリンクの後側軸支部は同じく二股平板ブラケットが上向きＬ形に形成して広幅に対面し、この二股平板ブラケットに軸受孔およびこの軸受孔と同心の弧状孔を所要半径で、かつ所要角開口し、前記ロアリンクの後端の後側軸支部と後半フレームの前端部の後方側の前記ロアリンクの接続軸受部とに両頭管状鋲を貫通して回動自在に接続してもよいものである。
【０００７】
前記前半フレームと前記後半フレームとが、アッパーリンクとの接続軸受部とロアリンクとの接続軸受部とを中心に回動して展開するときにストッパーとなる受皿をロアリンクとの接続軸受部の軸受筒の上半外面またはその近傍に固着し、アッパーリンクの対応面をその受皿の凹陥面内に嵌入係合し、展開応力を支承できるように設けてもよいものである。
【０００８】
前記前半フレームのロアリンクの後端の後側軸支部に開口した弧状孔と、後半フレームのロアリンクとの接続軸受部の軸受筒が溶着する枠型材の前端部分に開口する軸受孔に、定位置鍔と可動鍔を両端に具えた締付軸を貫通配備し、定位置鍔と可動鍔により締付力により前半フレームと後半フレームはその接続角度に保持するように設けてもよいものである。
【０００９】
【発明の実施の形態】
上方側に立パイプを一体に具えるアッパーリンクとロアリンクをヘッドパイプに対して軸着する前半フレームと、その前半フレームのアッパーリンクとロアリンクとの接続軸受部を前端部に、前後に離隔して具える後半フレームとからなる折畳み自転車フレームにおいて、前記ヘッドパイプは、その背面上下に前記前半フレームのアッパーリンクの前端の前側軸支部を軸支する上側軸支部とロアリンクの前端の前側軸支部を軸支する下側軸支部を離隔して具え、前記前半フレームのアッパーリンクは、その中間より後端寄りに下方に突出する中間軸支部を具え、前記前半フレームのロアリンクは、後端を上向きＬ形に形成して後側軸支部を具え、前記後半フレームは、その前端部の前後に、前記アッパーリンクの中間軸支部と前記ロアリンクの後側軸支部とに接続する接続軸受部を具え、前記後半フレームの前端下側に、ハンガーを後端に具える下パイプを接続し、下パイプの後端に、セッターを具えるチエンステーを接続し、前記後半フレームの前端上側に、前部をコ字型枠型材として、前記ロアリンクの後側軸支部と接続する接続軸受部を軸受筒により具え、このコ字型枠型材の後端にバックフォークを接続し、その後端を前記セッターに接続し、前記ロアリンクは、鋼板をプレス成型し、前端の前側軸支部は二股平板ブラケットが離隔して対面し、前記ヘッドパイプの下側軸支部の軸受筒の端面を内側に嵌入し、前記二股平板ブラケットの軸受孔と、前記下側軸支部の軸受筒の軸受孔とに両頭管状鋲を貫通して回動自在に軸支し、ロアリンクの後側軸支部は同じく二股平板ブラケットが上向きＬ形に形成して広幅に対面し、この二股平板ブラケットに軸受孔およびこの軸受孔と同心の弧状孔を所要半径で、かつ所要角開口し、前記ロアリンクの後端の後側軸支部と前記後半フレームの前端部のロアリンクとの接続軸受部とを両頭管状鋲を両者に貫通して回動自在に接続し、前記前半フレームと前記後半フレームとが、アッパーリンクとの接続軸受部と、ロアリンクとの接続軸受部を中心に回動して展開するときにストッパーとなる受皿をロアリンクとの接続軸受部の軸受筒の上半外面またはその近傍に固着し、アッパーリンクの対応面をその受皿の凹陥面内に嵌入係合し、展開応力を支承できるように設け、前記前半フレームのロアリンクの後端の後側軸支部の弧状孔と、前記後半フレームのロアリンクとの接続軸受部の軸受筒が溶着する枠型材の前端部分に開口する軸受孔に、定位置鍔と可動鍔を両端に具えた締付軸を貫通配備し、定位置鍔と可動鍔により締付力により前記前半フレームと前記後半フレームをその接続角度に保持するように設けてなる折畳み自転車フレーム。
【００１０】
【実施例】
以下、この発明の折畳み自転車フレームを実施例の一例を示す図面により説明すると、実施例の折畳み自転車フレーム１は、上方側に立パイプ５を一体に具えるアッパーリンク３とロアリンク４をヘッドパイプ２に対して軸着して構成する前半フレーム１ａと、その前半フレーム１ａのアッパーリンク３を接続する接続軸受部６と、ロアリンク４を接続する接続軸受部７を前端部に前後に離隔して具える後半フレーム１ｂとからなる。
【００１１】
前記ヘッドパイプ２は、上側軸支部２ａと下側軸支部２ｂを背面上下に離隔して具える。実施例では、上側軸支部２ａは二股ブラケット型であり、下側軸支部２ｂは軸受筒型である。
【００１２】
前記アッパーリンク３は、前端に前側軸支部３ａを具え、後端に立パイプ５を具えている。そして、その中間より後端寄りに下方に突出する中間軸支部３ｂを具えている。実施例では、アッパーリンク３はパイプ材を用い、その前端の前側軸支部３ａは軸受筒型であり、下方に突出する中間軸支部３ｂは、二股ブラケット型である。そしてアッパーリンク３の前端の前側軸支部３ａの軸受筒をヘッドパイプ２の上軸支部２ａの二股ブラケットに嵌合し、両頭管状鋲８を両者の軸受孔（図示しない）に貫通して回動自在に軸支する。同じくアッパーリンク３の中間軸支部３ｂの二股ブラケットには、前述の後半フレーム１ｂの前端部の前方側の接続軸受部６を内側に嵌入し、その両者の軸受孔３ｂ１および軸受孔６ａに両頭管状鋲８を両者に貫通して回動自在に接続する。
【００１３】
前記立パイプ５には、実施例の完成自転車９として図９に示す如く、上端にサドル１０を取り付けたシートポスト１１を昇降自在に嵌挿可能であり、また立パイプ５の上端に装備される締付具１２によりシートポスト１１を任意の位置に固定できるように設けている。
【００１４】
前記ロアリンク４は、前端に前側軸支部４ａを具え、後端に後側軸支部４ｂを具えている。実施例では、鋼板をプレス成型しており、前端の前側軸支部４ａは二股平板ブラケットが離隔して対面し、前記ヘッドパイプ２の下側軸支部２ｂの軸受筒の端面を内側に嵌入し、その前側軸支部４ａの二股平板ブラケットの軸受孔（図示しない）と、下側軸支部２ｂの軸受筒の軸受孔（図示しない）とに両頭管状鋲８を貫通して回動自在に軸支するものである。後端の後側軸支部４ｂは同じく二股平板ブラケットが広幅に対面し、この二股平板ブラケットに軸受孔４ｂ１、４ｂ１およびこの軸受孔４ｂ１、４ｂ１と同心の弧状孔４ｂ２、４ｂ２を所要半径で、かつ所要角開口し、前述のように、後半フレーム１ｂの前端の接続軸受部７とロアリンク４の後端の後側軸支部４ｂとを両頭管状鋲８を両者に貫通して回動自在に接続する。
【００１５】
前記後半フレーム１ｂは、前端部の前方側に具える接続軸受部６およびその後方側の接続軸受部７から構成し、実施例では夫々軸受筒型のものを用いている。またこの後半フレーム１ｂは、剛性を確保するため、下側は踏み力が掛かるハンガー１３を中心に前部側を下パイプ１４で接続し、その前端に接続軸受部６の軸受筒を溶着し、後部側を、後端にセッター１６を具えるチエンステー１５を接続している。上側は前部をコ字型枠型材１７として、その前端に接続軸受部７の軸受筒を溶着接続し、またその前端の一部である前側縁を下側の下パイプの背面に溶着接続している。コ字型枠型材１７の後端にバックフォーク１８を接続し、終端を前記セッター１６に接続している。
【００１６】
前記前半フレーム１ａと後半フレーム１ｂとが、接続軸受部６と接続軸受部７を中心に回動して展開するときにストッパーとなる受皿１９を接続軸受部７の軸受筒の上半外面に固着し、アッパーリンク３の対応面をその受皿１９の凹陥面１９ａ内に嵌入係合し、展開応力を支承できるように設けている。この受皿１９の凹陥面１９ａが左右対称形であることから、フレームの前後の中心軸を出すことができる。
【００１７】
また、前記前半フレーム１ａのロアリンク４の後端の後側軸支部４ｂの二股平板ブラケットに開口した弧状孔４ｂ２、４ｂ２と、後半フレーム１ｂの接続軸受部７の軸受筒が溶着する枠型材１７の前端部分に慣通・溶着して配備した軸受筒１７ｂの軸受孔１７ａとに、定位置鍔２０ａと可動鍔２０ｂを両端に具えた締付軸２０を貫通配備し、定位置鍔２０ａと可動鍔２０ｂにより締付けると、その締め付け力により前半フレーム１ａと後半フレーム１ｂはその接続角度に保持するように設けている。
【００１８】
前記締付軸２０の定位置鍔２０ａは、締付軸２０の一部をネジ軸にすることによりナット型にすることができ、また可動鍔２０ｂは、内部にレバー２１によって回動するカム（図示しない）を収容し、レバー２１による回動で締付け方向または解放方向に移動し、ワンタッチ操作が可能なクイック締付け機構とすることもできる。
【００１９】
前記定位置鍔２０ａと可動鍔２０ｂによる締付軸２０に加えて走行中の安全を確保するために前半フレーム１ａのアッパーリンク３にロック爪２２を配備し、これが折畳み自転車の展開時に自動的に後半フレーム１ｂの上側フレームであるコ字型枠型材１７に設けたロック口２３に係合し、前記アッパーリンク３の対応面をその受皿１９の凹陥面１９ａ内に嵌入係合している状態に固定するものである。そして、その解放は、ロック爪２２に連係するノブ２４の操作で行うことができる。このロック機構は一例であり、これに限定するものではない。
【００２０】
この発明の折畳み自転車フレーム１は前述のように構成されるから、締付軸２０の定位置鍔２０ａに対して可動鍔２０ｂを緩めると、両側からの挟持力がなくなるので、ロック爪２２とロック口２３との係合を解放することにより、前半フレーム１ａに対して後半フレーム１ｂを回動させることができ、折畳み自転車フレーム１を展開して使用状態に、また、折畳んで自立格納することができる。
【００２１】
【発明の効果】
この発明の折畳み自転車フレームは、以上のようになるから、従来、フレームを縦折りに折畳む場合には、ヘッドパイプと立パイプに差し渡される上パイプの前端をヘッドパイプにスライドさせるか、その中途を折り曲げることが必要でなく、したがって、フレーム強度および剛性の確保が簡単な機構によりできるものである。
【００２２】
また、常時リンクで接続しているから、精度が確保でき、またその使用状態への展開作動と折畳み作動がレバー一本の操作で、簡単に誰でもスムーズに、瞬間的短時間に行えるものである。
【００２３】
折畳み時に、前半フレームの直立するヘッドパイプに対して後半フレームがほぼ直立に近い状態で自立し、その直上にアッパーリンクとロアリンクとが傾斜状態で差し渡され、さらに、その直上にサドルを支える立パイプとシートポストがハンドルと略平行して保持されるから格納床面積を縮小することができ、集合住宅など狭い住居での格納に画期的効果を奏するものである。
【図面の簡単な説明】
【図１】  この発明の折畳み自転車フレームの全体の側面図である。
【図２】  同じく、後端部を切断して一部省略拡大側面図である。
【図３】  後端部を切断して一部省略した後半部フレーム単体の拡大側面図である。
【図４】  同じく、図２のＡ−Ａ線により見た部分平面図である。
【図５】  同じく、図２のＢ−Ｂ線により見た部分平面図である。
【図６】  同じく、図２のＣ−Ｃ線により見た部分平面図である。
【図７】  同じく、図２のＤ−Ｄ線により見た部分平面図である。
【図８】  同じく、この発明の折畳み自転車フレームを折畳んだ状態を示す一部省略拡大側面図である。
【図９】  この発明の折畳み自転車フレームに部品および付属品を装備して完成した折畳み自転車の一例を示す全体側面図である。
【図１０】  同じく、完成折畳み自転車を折畳み自立状態を示す全体側面図である。
【図１１】  この発明の折畳み自転車フレームのワンタッチ締付機構を展開状態に固定した時の拡大部分斜視図である。
【図１２】  同じく、この発明の折畳み自転車フレームのワンタッチ締付機構を折畳状態に固定した時の拡大部分斜視図である。
【図１３】  この発明の折畳み自転車フレームの展開状態にロックするロック機構の一例を示す拡大部分側面図である。
【符号の説明】
１  折畳み自転車フレーム
１ａ  前半フレーム
１ｂ  後半フレーム
２  ヘッドパイプ
２ａ  上側軸支部
２ｂ  下側軸支部
３  アッパーリンク
３ａ  前側軸支部
３ｂ  中間軸支部
３ｂ１  軸受孔
４  ロアリンク
４ａ  前側軸支部
４ｂ  後側軸支部
４ｂ１  軸受孔
４ｂ２  弧状孔
５  立パイプ
６  接続軸受部
６ａ  軸受孔
７  接続軸受部
８  両頭管状鋲
９  完成自転車
１０  サドル
１１  シートポスト
１２  締付具
１３  ハンガー
１４  下パイプ
１５  チエンステー
１６  セッター
１７  コ字型枠型材
１７ａ  軸受孔
１７ｂ  軸受筒
１８  バックフォーク
１９  受皿
１９ａ  凹陥面
２０  締付軸
２０ａ  定位置鍔
２０ｂ  可動鍔
２１  レバー
２２  ロック爪
２３  ロック口
２４  ノブ
【図１】
0003915086.tif 000002
【図２】
0003915086.tif 000003
【図３】
0003915086.tif 000004
【図４】
0003915086.tif 000005
【図５】
0003915086.tif 000006
【図６】
0003915086.tif 000007
【図７】
0003915086.tif 000008
【図８】
0003915086.tif 000009
【図９】
0003915086.tif 000010
【図１０】
0003915086.tif 000011
【図１１】
0003915086.tif 000012
【図１２】
0003915086.tif 000013
【図１３】
0003915086.tif 000014